(57)【特許請求の範囲】
【請求項１】
ホッパー（１６）に投入された籾殻を搬送するスクリューコンベヤ（３）と、スクリューコンベヤの下流側出口（４）が挿通する斜壁（２０）を有する擂鉢状体（２）を内蔵し、その擂鉢状体上に、前記下流側出口に対向して平面略Ｖ字状の略半球弧形状で複数の透孔（６）を有するＶ状体（５）を下流側に傾けて立設すると共に、そのＶ状体の両端部分から下流側に突条壁（７，７）を立設し、さらに周壁下端部に焼却した籾殻である炭化物用開閉可能取出口（１８）を形成した有底筒状容器体（１）と、
有底筒状容器体の上端開口部に着脱自在に被せられ、前記二つの突条壁とＶ状体との間に上方から送風する中央下向吹出ノズル（１１）を垂下設すると共に、中央下向吹出ノズルの根本から略笠状に垂下設された笠部（１９）に当たって、前記擂鉢状体の上縁部分に螺旋空気流を形成する空気を供給する一対の接線方向吹出ノズル（１２）を設けた空気路（１０）と熱交換器（１５）を内蔵する蓋体（８）と、からなる籾殻焼却機。
【発明の詳細な説明】
【０００１】
【発明の属する技術分野】
本発明は、籾殻を効率的に焼却することのできる籾殻焼却機に関するものである。
【０００２】
【従来の技術】
籾殻を焼却することによって得ることのできる炭化物は、例えば、稲の苗を育てる育苗箱の底に敷いて当該苗の良好な成長を促すために使用される。この籾殻の炭化物は、従来、籾殻を野外で積み上げて燃やしたり、あるいは一般のゴミ焼却器によって焼却することによって生産されている。
【０００３】
しかし、籾殻は燃えにくく、野外で積み上げて燃やす場合や一般のゴミ焼却器によって焼却する場合は、共に、焼却効率がきわめて悪く、多くの手間と時間を要すると共に、不完全な燃え残りが多量に残存してしまうと共に、均一に燃えないため灰になるという問題がある。
【０００４】
【発明が解決しようとする課題】
解決しようとする課題は、従来の、屋外で焼却する手段や一般のゴミ焼却器で焼却する手段は、共に焼却効率が悪いので、籾殻の炭化物を得るために多くの手間と時間を必要とし、かつ不完全な燃え残りと灰が多量にできてしまうことである。また、籾殻を燃焼させ、その熱も利用しようとするものである。
【０００５】
【課題を解決するための手段】
図を参照して説明する。本発明は、ホッパー１６に投入された籾殻を搬送するスクリューコンベヤ３と、スクリューコンベヤ３の下流側出口４が挿通する斜壁２０を有する擂鉢状体２を内蔵し、その擂鉢状体２上に、前記下流側出口４に対向して平面略Ｖ字状の略半球弧形状で複数の透孔６を有するＶ状体５を下流側に傾けて立設すると共に、そのＶ状体５の両端部分から下流側に突条壁７，７を立設し、さらに周壁下端部に焼却した籾殻である炭化物用開閉可能取出口１８を形成した有底筒状容器体１と、有底筒状容器体１の上端開口部に着脱自在に被せられ、前記二つの突条壁７とＶ状体５との間に上方から送風する中央下向吹出ノズル１１を垂下設すると共に、中央下向吹出ノズル１１の根本から略笠状に垂下設された笠部１９に当たって、前記擂鉢状体２の上縁部分に螺旋空気流を形成する空気を供給する一対の接線方向吹出ノズル１２を設けた空気路１０と熱交換器１５を内蔵する蓋体８と、からなる。
【０００６】
【発明の実施の形態】
本発明の一実施形態について説明する。本実施形態に係る籾殻焼却機は、主として、スクリューコンベヤ３、有底筒状容器体１、および蓋体８とで構成される。
【０００７】
スクリューコンベヤ３は、その上流側にホッパー１６を有し、同じく上流側に取り付けられた駆動装置（モーターおよび減速機）１７によって駆動する。
【０００８】
有底筒状容器体１は、スクリューコンベヤ３の下流側出口４が挿通する斜壁２０を有する擂鉢状体２を内蔵している。この擂鉢状体２上には、下流側出口４に対向して平面略Ｖ字状の略半球弧形状で複数の透孔６を有するＶ状体５が、下流側に傾けられた状態で立設されている。また、この擂鉢状体２上には、Ｖ状体５の両端部分から下流側に向けて一対の突条壁７，７が相互平行に立設されている。さらに、周壁の下端部には、焼却した籾殻である炭化物を取出すことのできる大きさの開閉自在な取出口１８が形成されている。
【０００９】
蓋体８は、有底筒状容器体１の上端開口部に着脱自在に被せられる有頂短筒形状で、空気路１０を内蔵する。この空気路１０には、擂鉢状体２上に設けられた二つの突条壁７とＶ状体５との間であり、Ｖ状体５の平面凹部２１部分に上方から空気を送風する中央下向吹出ノズル１１が垂下設されている。また、中央下向吹出ノズル１１の根本から略笠状に垂下設された笠部１９に当たって、擂鉢状体２の上縁部分に螺旋空気流を形成する空気を供給する一対の接線方向吹出ノズル１２が斜め下方に向けて設けられている。空気路１０による送風は、当該空気路１０の端部に設けられた送風機９によって行われる。
【００１０】
また、有底筒状容器体１に燃焼籾殻炭化物を取出す開閉自在な取出口１８が設けてある。このことは有底筒状容器体１の下部部分は、取出口１８が閉のときは酸素欠乏となり、燃焼炭化物を消化する。蓋体８に熱交換器１５を内蔵している。
【００１１】
作用について説明する。まず、所望量の籾殻をホッパー１６に投入する。このホッパー内の籾殻は、駆動装置１７によって回転するスクリューコンベヤ３で少量づつ下流側に連続的に搬送されて、斜壁２０に挿通された下流側出口４から擂鉢状体２に供給される。供給された籾殻は、擂鉢状体２上でＶ状体５に覆い被さるようにして積み重なった状態となる。この工程において、籾殻は所望量をホッパー１６に投入するのみで、その後は、スクリューコンベヤ３が少量づつ搬送するので、手間がかからず時間も無駄にならない。
【００１２】
擂鉢状体２に供給されたこの籾殻は、ライター等によって着火される。着火後、有底筒状容器体１の上端開口部に蓋体８が被せられる。続いて、送風機９によって空気が空気路１０の中央下向吹出ノズル１１から送られ、擂鉢状体２上面でＶ状体５の凹部２１部分に吹き付けられる。吹き付けられた空気の多くは、Ｖ状体５の複数の透孔６を通ってＶ状体５上に積み重なった籾殻の下面に当たり、他の一部は一対の突条壁７，７に沿って上昇する。ここでは、空気を籾殻の下面に当てるので、当該籾殻は効率的に燃焼し、また、その上に供給される新たな籾殻も効果的に燃焼する。さらに、空気が複数の透孔６を通過することによって空気圧が強くなると共に広範囲に分散されるので、籾殻の燃焼効率をさらに高めることができる。
【００１３】
籾殻は燃焼して炭化物となり、続いて供給されてくる新たな籾殻によって押し上げられ、一対の突条壁７，７に沿って擂鉢状体２の上縁部分に達する。上縁部分に達した籾殻は、笠部１９の上面に送風する接線方向吹出ノズル１２から吹き出される空気の旋回流によりさらに燃焼した後、擂鉢状体２の上縁を越えて下方に落下し、有底筒状容器体１の底に溜まる。従って、最初に所望量の籾殻をホッパー１６に投入して着火するだけの作業で、ホッパー１６に投入した全ての籾殻を自動的に燃焼させてその炭化物を得ることができる。よって、手間がかからず時間も無駄にしない。
【００１４】
なお、底に溜まった籾殻の炭化物は、取出口１８から排出される。また、燃焼気体は、煙突１３を通って排気される。
【００１５】
蓋体８内に熱交換器１５を設けており、こうすることによって、例えば熱源として使用することのできる熱湯を、この焼却機から得ることができる。
【００１６】
ちなみに、本実施形態に係る籾殻焼却機における主要部分の寸法は、以下の通りである。有底筒状容器体内径＝６００ｍｍ、擂鉢状体外径＝４００ｍｍ、擂鉢状体高さ＝１５０ｍｍ、スクリューコンベヤ外径＝１００ｍｍ、スクリューコンベヤ下流側出口４の配置＝擂鉢状体２上端から４０ｍｍかつ下端から１０ｍｍ。
【００１７】
上記寸法の籾殻焼却機を使用して実験を行った結果、毎分０．５リットルの籾殻を処理できることが分かった。また、籾殻の不完全な燃え残りも見られなかった。なお、本発明の籾殻焼却機の処理能力は、擂鉢状体２の容積や空気路１０の送風量等によって大きく変化する。
【００１８】
【発明の効果】
本発明の籾殻焼却器は、ホッパー１６に投入された籾殻をスクリューコンベヤ３によって少量づつ搬送して燃焼させることとしているので、従来のゴミ焼却器のように一度に大量の籾殻を燃やすのと異なり、効率的かつ確実に燃焼させて炭化物を得ることができる。また、最初に所望量の籾殻をホッパー１６に投入し、着火するだけでホッパー１６内の全ての籾殻を燃焼させることができるので、作業に手間がかからず、時間も無駄にしない。
【００１９】
また、空気を籾殻の下面に当てるので、当該籾殻は効率的に燃焼し、また、その上に供給される新たな籾殻も効果的に燃焼する。さらに、空気が透孔６を通過することによって空気圧が強くなると共に広範囲に分散するので、籾殻の燃焼効率をさらに高めることができる。
【図面の簡単な説明】
【図１】  本発明の一実施形態に係る籾殻焼却機を示す鉛直断面図である。
【図２】  図１に示す籾殻焼却機の平面図である。
【図３】  図１におけるＡ−Ａ線断面図である。
【符号の説明】
１      有底筒状容器体
２      擂鉢状体
３      スクリューコンベヤ
４      下流側出口
５      Ｖ状体
６      透孔
７      突条壁
８      蓋体
９      送風機
１０    空気路
１１    中央下向吹出ノズル
１２    接線方向吹出ノズル
１３    煙突
１５    熱交換器
１６    ホッパー
１７    駆動装置
１８    取出口
１９    笠部
２０    斜壁
２１    凹部
【図１】
0004047996.tif 000002
【図２】
0004047996.tif 000003
【図３】
0004047996.tif 000004